【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
少なくとも１つの周波数帯において電磁波の伝播を遮断する構造体であって、
電子回路部品が実装される基板であって第１の導体が形成される第１の層と第２の導体が形成される第２の層とを含む基板において、前記第１の層と異なる複数の相異なる層にそれぞれ配置される線状の第３の導体と、
前記第３の導体のうちの１つの導体の端部の１つを、前記第３の導体のうちの別の１つの導体の端部の１つと接続する少なくとも１つの第４の導体と、
を含むことを特徴とする構造体。
【請求項２】
前記第３の導体のうちの少なくとも１つは曲線形状を有し、
前記第３の導体のうちの１つの導体の１つの端部は開放端である、
ことを特徴とする請求項１に記載の構造体。
【請求項３】
前記第３の導体のうちの前記開放端を含む導体は、当該第３の導体のうちの他の導体と比べて、前記第１の層に近い層に配置される、
ことを特徴とする請求項２に記載の構造体。
【請求項４】
前記第３の導体のうちの１つの導体の１つの端部が前記第２の導体に接続される、
ことを特徴とする請求項１から３のいずれか１項に記載の構造体。
【請求項５】
前記第３の導体は、いずれも、前記第２の層と前記第１の層との間の層に形成される、
ことを特徴とする請求項１から４のいずれか１項に記載の構造体。
【請求項６】
前記第３の導体のうちの前記第２の導体に接続される導体は、前記第２の層に形成される、
ことを特徴とする請求項４に記載の構造体。
【請求項７】
前記第４の導体は、前記第３の導体が直列に接続されて１つの線状の導体となるように、当該第３の導体のそれぞれを互いに接続する、
ことを特徴とする請求項１から６のいずれか１項に記載の構造体。
【請求項８】
前記第４の導体は、前記第３の導体のうちの相異なる２つの導体のそれぞれの端部の１つを、共に、前記第３の導体のうちの別の１つの導体の端部の１つと接続する、
ことを特徴とする請求項１から６のいずれか１項に記載の構造体。
【請求項９】
前記第１の層が、前記第３の導体のうちの前記相異なる２つの導体が形成される２つの層の間の層となるように、当該相異なる２つの導体が形成される、
ことを特徴とする請求項８に記載の構造体。
【請求項１０】
前記第３の導体のうちの２つの導体は、電流が流れたときに形成される磁界を互いに強めあう方向で配置される、
ことを特徴とする請求項１から９のいずれか１項に記載の構造体。
【請求項１１】
前記第３の導体は、スパイラル形状またはメアンダ形状である、
ことを特徴とする請求項１から１０のいずれか１項に記載の構造体。
【請求項１２】
少なくとも１つの周波数帯において電磁波の伝播を遮断する構造体であって、
電子回路部品が実装される基板であって第１の導体が形成される第１の層と第２の導体が形成される第２の層とを含む基板において、前記第１の層と異なる第３の層に配置される複数の第３の導体と、
前記第１の層および前記第３の層と異なる第４の層に配置される少なくとも１つの第４の導体と、
前記複数の第３の導体のうちの１つの導体の端部の１つを前記少なくとも１つの第４の導体のうちの１つの導体の端部の１つと接続し、前記複数の第３の導体のうちの別の１つの導体の端部の１つを前記少なくとも１つの第４の導体のうちの１つの導体の端部の別の１つと接続する、複数の第５の導体と、
を含むことを特徴とする構造体。
【請求項１３】
前記複数の第３の導体のうちの１つの導体または前記少なくとも１つの第４の導体のうちの１つの導体の、１つの端部は開放端である、
ことを特徴とする請求項１２に記載の構造体。
【請求項１４】
前記複数の第３の導体のうちの１つの導体が前記開放端を含む場合、当該複数の第３の導体のうちの当該１つの導体が前記第４の導体より前記第１の層に近い層に配置され、
前記少なくとも１つの第４の導体のうちの１つの導体が前記開放端を含む場合、当該少なくとも１つの第４の導体のうちの当該１つの導体が前記第３の導体より前記第１の層に近い層に配置される、
ことを特徴とする請求項１３に記載の構造体。
【請求項１５】
前記複数の第３の導体のうちの１つの導体または前記少なくとも１つの第４の導体のうちの１つの導体の、１つの端部が前記第２の導体に接続される、
ことを特徴とする請求項１２から１４のいずれか１項に記載の構造体。
【請求項１６】
前記複数の第３の導体および前記少なくとも１つの第４の導体は、いずれも、前記第２の層と前記第１の層との間の層に形成される、
ことを特徴とする請求項１２から１５のいずれか１項に記載の構造体。
【請求項１７】
前記複数の第３の導体および前記少なくとも１つの第４の導体のうちの前記第２の導体に接続される導体は、前記第２の層に形成される、
ことを特徴とする請求項１５に記載の構造体。
【請求項１８】
前記第５の導体は、前記複数の第３の導体と前記少なくとも１つの第４の導体が交互かつ直列に接続されて１つの線状の導体となるように、当該複数の第３の導体と前記少なくとも１つの第４の導体とを接続する、
ことを特徴とする請求項１２から１７のいずれか１項に記載の構造体。
【請求項１９】
前記１つの線状の導体はヘリカル形状を有する、
ことを特徴とする請求項１８に記載の構造体。
【請求項２０】
前記第５の導体は、前記複数の第３の導体のうちの相異なる２つの導体のそれぞれの端部の１つを、共に、前記少なくとも１つの第４の導体のうちの１つの導体の端部の１つと接続する、
ことを特徴とする請求項１２から１７のいずれか１項に記載の構造体。
【請求項２１】
前記複数の第３の導体のうちの前記相異なる２つの導体は、共に接続される前記少なくとも１つの第４の導体のうちの１つの導体の端部の１つを除いて導通しない、
ことを特徴とする請求項２０に記載の構造体。
【請求項２２】
前記複数の第３の導体のうちの前記相異なる２つの導体の少なくともいずれかは、その端部が開放端であり、又は、さらに前記少なくとも１つの第４の導体のうちの別の１つの導体を含む導体と接続され、当該少なくとも１つの第４の導体のうちの当該別の１つの導体を含む導体は開放端を含む、
ことを特徴とする請求項２１に記載の構造体。
【請求項２３】
前記第５の導体は、前記複数の第３の導体と前記少なくとも１つの第４の導体とを、それらの少なくとも一部において電流が流れたときに形成される磁界を互いに強めあうように接続する、
ことを特徴とする請求項１２から２２のいずれか１項に記載の構造体。
【請求項２４】
信号線を形成する第１の導体と、
グランドを形成する第２の導体と、
請求項１から２３のいずれか１項に記載の構造体と
を含むことを特徴とする電子回路。
【請求項２５】
前記第１の導体に沿って配置される複数の前記構造体を含み、
複数の前記構造体は、複数の前記構造体のうちの１つの構造体と別の１つの構造体との距離が、遮断する周波数における電磁波の電気長の１／４となる位置に配置される、
ことを特徴とする請求項２４に記載の電子回路。
【請求項２６】
前記第１の導体は、伝送線路または平板状の導体である、
ことを特徴とする請求項２４又は２５に記載の電子回路。
【手続補正２】
【補正対象書類名】明細書
【補正対象項目名】０００６
【補正方法】変更
【補正の内容】
【０００６】
上記課題を解決するため、本発明の構造体は、少なくとも１つの周波数帯において電磁波の伝播を遮断する構造体であって、電子回路部品が実装される基板であって第１の導体が形成される第１の層と第２の導体が形成される第２の層とを含む基板において、前記第１の層と異なる複数の相異なる層にそれぞれ配置される線状の第３の導体と、前記第３の導体のうちの１つの導体の端部の１つを、前記第３の導体のうちの別の１つの導体の端部の１つと接続する少なくとも１つの第４の導体と、を含む。